(57)【要約】【課題】組成物中の３−メチル−４−イソプロピルフェノールの成分量が、ポリオレフィン樹脂材質からなる包装体中で安定に維持できる包装体入り製品を提供する。【解決手段】（Ａ）３−メチル−４−イソプロピルフェノールと、（Ｂ）油剤と、（Ｃ）界面活性剤を配合した水中油型の乳化系組成物が接する、包装体又は包装体部品の材質がポリオレフィン樹脂であることを特徴とする包装体入り製品。【選択図】なし【特許請求の範囲】
【請求項１】
（Ａ）３−メチル−４−イソプロピルフェノールと、（Ｂ）油剤と、（Ｃ）界面活性剤を配合した水中油型の乳化系組成物が接する、包装体又は包装体部品の材質がポリオレフィン樹脂であることを特徴とする包装体入り製品。
【請求項２】
（Ｂ）油剤の配合量が、水中油型の乳化系組成物の総量に対して０．５〜３０質量％であることを特徴とする、請求項１に記載の包装体入り製品。
【請求項３】
（Ｂ）油剤が、炭化水素油、高級脂肪酸、高級アルコール及びエステル油から選ばれるものであることを特徴とする、請求項１又は２に記載の包装体入り製品。
【請求項４】
（Ａ）３−メチル−４−イソプロピルフェノールと、（Ｂ）油剤と、（Ｃ）界面活性剤を配合した水中油型の乳化系組成物にすることによって、該組成物が接するポリオレフィン樹脂からなる包装体又は包装体部品に上記（Ａ）成分が吸着されるのを防止することを特徴とする吸着防止方法。
【請求項５】
（Ｂ）油剤の配合量が、水中油型の乳化系組成物の総量に対して０．５〜３０質量％であることを特徴とする、請求項４に記載の吸着防止方法。
【請求項６】
（Ｂ）油剤が、炭化水素油、高級脂肪酸、高級アルコール及びエステル油から選ばれるものであることを特徴とする、請求項４又は５に記載の吸着防止方法。
【発明の詳細な説明】
【技術分野】
【０００１】
本発明は、組成物中のビタミンＥ及びその誘導体、または３−メチル−４−イソプロピルフェノールの成分が、樹脂材質からなる包装体中で、その有効量が安定に維持できる包装体入り製品、並びに該成分の吸着防止方法に関する。
【背景技術】
【０００２】
ビタミンＥが容器の樹脂に吸着される現象は一般的に知られているおり、容器材質を硝子容等の特定のものに選定することによって対処してきた。しかしながら、樹脂容器にて吸着現象が必ずおきるとは限らず、その製品化に当たって内容物と容器材質について一々確認試験を行うことが必要であり、その確認作業の煩雑性があり、その解決方法が望まれていた。また、３−メチル−４−イソプロピルフェノールについても、同様な現象が起きることが判り、その解決方法が望まれていた。
【発明の概要】
【発明が解決しようとする課題】
【０００３】
即ち、本発明の目的とするところは、ビタミンＥ及びその誘導体、または３−メチル−４−イソプロピルフェノールの活性成分が配合された組成物が収納されている樹脂材質からなる包装体等中で、該活性成分の活性が経日で安定に維持できる包装入り製品を提供することにある。
【課題を解決するための手段】
【０００４】
本発明者等は上記事情に鑑み、鋭意研究した結果、上記活性成分が配合された特定の系の組成物、または特定の樹脂材質の包装体等にすることによって始めて収納されている樹脂材質の包装体等に上記活性成分が吸着されず、その残存率が減少するのを防止できることを見出し、本発明を完成したものである。
【０００５】
即ち、本発明の請求項１は、（Ａ）３−メチル−４−イソプロピルフェノールと、（Ｂ）油剤と、（Ｃ）界面活性剤を配合した水中油型の乳化系組成物が接する、包装体又は包装体部品の材質がポリオレフィン樹脂であることを特徴とする包装体入り製品である。
【０００６】
また、本発明の請求項４は、（Ａ）３−メチル−４−イソプロピルフェノールと、（Ｂ）油剤と、（Ｃ）界面活性剤を配合した水中油型の乳化系組成物にすることによって、該組成物が接するポリオレフィン樹脂からなる包装体又は包装体部品に上記（Ａ）成分が吸着されるのを防止することを特徴とする吸着防止方法である。
【発明の効果】
【０００７】
本発明が、組成物中のビタミンＥ及びその誘導体、または３−メチル−４−イソプロピルフェノールの成分量が、樹脂材質からなる包装体中で安定に維持できる包装体入り製品を提供できることは明らかである。
【発明を実施するための形態】
【０００８】
本発明で使用するビタミンＥ及びその誘導体とは、化粧料等に老化防止作用、末梢血管拡張作用、血行促進作用等を期待して配合される油溶性化合物であり、その化合物の具体例としては、ＤＬ−α−トコフェロール、Ｄ−δ−コフェロール、酢酸ＤＬ−α−トコフェロール、コハク酸ＤＬ−α−トコフェロール、ニコチン酸ＤＬ−α−トコフェロール、リノール酸ＤＬ−α−トコフェロール等が挙げられる。
【０００９】
本発明で使用する３−メチル−４−イソプロピルフェノールとは、別名イソプロピルメチルフェノールであり、アクネ化粧料等の化粧料、医薬品等に殺菌剤、防腐剤として配合される油溶性化合物である。
【００１０】
ビタミンＥ及びその誘導体、または３−メチル−４−イソプロピルフェノール３−メチル−４−イソプロピルフェノールの組成物の配合量としては、組成物の総量に対して、例えば０．００１〜１．０質量％の範囲で配合される。
【００１１】
本発明では可溶化系組成物としては、ＨＬＢが１４〜１９の非イオン界面活性剤を配合して系を可溶化型した組成物である。ＨＬＢが上記範囲内であると、上記のビタミンＥ及びその誘導体、または３−メチル−４−イソプロピルフェノールの特定の容器材質への吸着による含有量の経日による減少が顕著におきる。ＨＬＢが１４〜１９の非イオン界面活性剤としては、Ｐ．Ｏ．Ｅ（２０）ソルビットモノラウレート、Ｐ．Ｏ．Ｅ（１５）グリセリルモノオレエート、Ｐ．Ｏ．Ｅ（２５）モノステアレート、Ｐ．Ｏ．Ｅ（４０）モノステアレート、Ｐ．Ｏ．Ｅ（４５）モノステアレート、Ｐ．Ｏ．Ｅ（２１）ラウリルエーテル、Ｐ．Ｏ．Ｅ（２５）ラウリルエーテル、Ｐ．Ｏ．Ｅ（１５）セチルエーテル、Ｐ．Ｏ．Ｅ（２０）セチルエーテル、Ｐ．Ｏ．Ｅ（２５）セチルエーテル、Ｐ．Ｏ．Ｅ（２０）ステアリルエーテル、Ｐ．Ｏ．Ｅ（１０）オレイルエーテル、Ｐ．Ｏ．Ｅ（１５）オレイルエーテル、Ｐ．Ｏ．Ｅ（２０）オレイルエーテル、Ｐ．Ｏ．Ｅ（５０）オレイルエーテル、Ｐ．Ｏ．Ｅ（２０）ベヘニルエーテル、Ｐ．Ｏ．Ｅ（３０）ベヘニルエーテル、Ｐ．Ｏ．Ｅ（２０）ラノリンアルコール、Ｐ．Ｏ．Ｅ（４０）ラノリンアルコール、Ｐ．Ｏ．Ｅ（７．５）ノニルフェニルエーテル、Ｐ．Ｏ．Ｅ（１０）ノニルフェニルエーテル、Ｐ．Ｏ．Ｅ（１５）ノニルフェニルエーテル、Ｐ．Ｏ．Ｅ（１８）ノニルフェニルエーテル、Ｐ．Ｏ．Ｅ（６０）ヒマシ油、Ｐ．Ｏ．Ｅ（６０）硬化ヒマシ油、Ｐ．Ｏ．Ｅ（８０）硬化ヒマシ油、Ｐ．Ｏ．Ｅ（８０）硬化ヒマシ油、Ｐ．Ｏ．Ｅ（１００）硬化ヒマシ油、Ｐ．Ｏ．Ｅ（１０）ステアリルアミン、Ｐ．Ｏ．Ｅ（１５）ステアリルアミン、Ｐ．Ｏ．Ｅ（１０）オレイルアミン、Ｐ．Ｏ．Ｅ（１５）オレイルアミン、Ｐ．Ｏ．Ｅ（１０）ステアリン酸アミド、Ｐ．Ｏ．Ｅ（１５）ステアリン酸アミド、Ｐ．Ｏ．Ｅ（１０）オレイン酸アミド、Ｐ．Ｏ．Ｅ−Ｐ．Ｏ．Ｐセチルエーテル等が挙げられ、これらの１種または２種以上が用いられる。また、ＨＬＢが上記範囲外のものを２種以上組み合わせて、組み合わせた時のＨＬＢが上記の範囲内にすることによっても使用できる。これら非イオン界面活性剤は、組成物の中でビタミンＥ及びその誘導体、または３−メチル−４−イソプロピルフェノールを均一に可溶化することによって、該化合物の安定した作用効果を発揮でき、また特定材質の樹脂容器に収納することによって該化合物の残存量を高維持できる。
【００１２】
上記の可溶化剤としての非イオン界面活性剤の配合量としては、可溶化系組成物の総量に対して０．１〜２．０質量％が好ましい。
【００１３】
本発明における、可溶型組成物には、上記の化合物以外に少なくとも水、及び好ましくはエチルアルコールを５〜４０質量％の範囲で配合するが、上記必須成分以外に任意成分として、顔料、粘剤、金属イオン封鎖剤、ｐＨ調整剤、香料、生理活性成分、他の防腐剤、他の殺菌剤等を適宜配合できる。
【００１４】
一方、本発明では上記可溶化系組成物と接する包装体又は包装体部品の材質が、エチレンビニルアルコール共重合体、ポリエチレンテレフタレート、ポリエチレンナフタレート、ポリアミドからなる群から選ばれる樹脂の１種以上であることが必要である。エチレンビニルアルコール共重合体としては、エチレンの共重合比率としては好ましくは２５〜５０モル％であり、特に好ましくは３０〜４０モル％であり、クラレ（株）のエバールシリーズ、日本合成化学（株）のソアノールシリーズ等の商品が挙げられ、ポリエチレンテレフタレートやポリエチレンナフタレートとしては、ホモポリマー以外に１，４−シクロヘキサンジメタノール等の他の共重合成分を好ましくは２〜３０モル％共重合したものも挙げられ、ポリアミドとしては、６ナイロン、６６ナイロン、１１ナイロン、１２ナイロン等が挙げられる。本発明ではこれらの樹脂単独以外にこれら樹脂の混合体としても使用できる。
【００１５】
本発明で用いる包装体としては、ブローボトル、インジェクション容器、チューブ容器、フイルムパック、真空成形容器等であり、その内面は少なくとも上記材質からなり、また内容物と接する包装体以外の包装体部品であるポンプのチューブ等、キャップ、パッキン、中栓等の部品の材質も上記材質から形成されていることが好ましい。そして、包装体の外層の材質として上記樹脂を用いた単層構造の包装体以外に、外層や中間層をポリオレフィン樹脂、アルミニウム、紙等の他の材質や、前記材質から選ばれるが内面とは異種の材質を用いた２層以上の積層包装体が挙げられる。
【００１６】
また、第２の本発明としては、（Ａ）ビタミンＥ及びその誘導体、または３−メチル−４−イソプロピルフェノールと、（Ｂ）油剤と、（Ｃ）界面活性剤によって水中油型の乳化系組成物にすることによって、該組成物と接する包装体又は包装体の部品の材質として、一般的に用いられるポリエチレン、ポリプロピレン等のポリオレフィン樹脂を使用しても上記Ａ成分が吸着するのを防止できる吸着防止方法にある。
【００１７】
上記乳化系組成物に用いる油剤としては、例えば、アボガド油、アマニ油、アーモンド油、イボタロウ、エノ油、オリーブ油、カカオ脂、カポックロウ、カヤ油、カルナウバロウ、肝油、キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、ラノリン脂肪酸イソプロピル、ラウリン酸ヘキシル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等；炭化水素油として、オゾケライト、スクワラン、スクワレン、セレシン、パラフィン、パラフィンワックス、流動パラフィン、プリスタン、ポリイソブチレン、マイクロクリスタリンワックス、ワセリン等；高級脂肪酸としては、ラウリン酸、ミリスチン酸、パルミチン酸、ステアリン酸、ベヘン酸、ウンデシレン酸、オレイン酸、リノール酸、リノレン酸、アラキドン酸、エイコサペンタエン酸（ＥＰＡ）、ドコサヘキサエン酸（ＤＨＡ）、イソステアリン酸、１２−ヒドロキシステアリン酸等；高級アルコールとしては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリルエーテル（セラキルアルコール）等；エステル油としては、アジピン酸ジイソブチル、アジピン酸２−ヘキシルデシル、アジピン酸ジ−２−ヘプチルウンデシル、モノイソステアリン酸Ｎ−アルキルグリコール、イソノナン酸イソノニル、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、リンゴ酸ジイソステアリル等；グリセライド油としては、アセトグリセリル、トリイソオクタン酸グリセリル、トリイソステアリン酸グリセリル、トリイソパルミチン酸グリセリル、モノステアリン酸グリセリル、ジ−２−ヘプチルウンデカン酸グリセリル、トリミリスチン酸グリセリル、ミリスチン酸イソステアリン酸ジグリセリル等が挙げられる。
【００１８】
上記乳化系組成物における油剤の配合量としては、水中油型の乳化系組成物の総量に対して、０．５〜３０質量％が好ましい。
【００１９】
上記乳化系組成物において乳化剤としての界面活性剤を配合するが、その界面活性剤としては、アニオン性界面活性剤、カチオン性界面活性剤、ノニオン性界面活性剤、両性界面活性剤の１種、２種以上を用いることができる。より詳しくは脂肪酸石鹸、α−アシルスルホン酸塩、アルキルスルホン酸塩、アルキルアリルスルホン酸塩、アルキルナフタレンスルホン酸塩、アルキル硫酸塩、アルキルエーテル硫酸塩、アルキルアミド硫酸塩、アルキルリン酸塩、アルキルアミドリン酸塩、アルキロイルアルキルタウリン塩、Ｎ−アシルアミノ酸塩、スルホコハク酸塩、パーフルオロアルキルリン酸エステル等のアニオン性界面活性剤、塩化アルキルトリメチルアンモニウム、塩化ステアリルトリメチルアンモニウム、臭化ステアリルトリメチルアンモニウム、塩化セトステアリルトリメチルアンモニウム、塩化ジステアリルジメチルアンモニウム、塩化ステアリルジメチルベンジルアンモニウム、臭化ベヘニルトリメチルアンモニウム等のカチオン性界面活性剤、ラウリン酸アルカノールアミド、ＰＯＥソルビタン脂肪酸エステル、ＰＯＥグリセリン脂肪酸エステル、ＰＯＥ脂肪酸エステル等のノニオン性界面活性剤、カルボキシベタイン型、アミドベタイン型、スルホベタイン型、ヒドロキシスルホベタイン型、アミドスルホベタイン型、ホスホベタイン型、アミノカルボン酸塩型、イミダゾリン誘導体型、アミドアミン型等の両性界面活性剤が挙げられる。また、サポニン、糖系界面活性剤等の天然系界面活性剤を用いることもできる。
【００２０】
乳化剤としての上記界面活性剤の配合量としては、水中油型の乳化系組成物の総量に対して０．３〜５．０質量％が好ましい。
【００２１】
上記の第２の発明における、水中油型の乳化系組成物には、上記の化合物以外に少なくとも水を溶媒として配合するが、溶媒等としてのエチルアルコールは配合しないことが好ましい。上記必須成分以外に配合する適宜配合する任意成分としては、顔料、粘剤、金属イオン封鎖剤、ｐＨ調整剤、香料、生理活性成分、他の防腐剤、他の殺菌剤等が挙げられる。
【００２２】
上記の可溶型組成物、または水中油型の乳化系組成物としては、化粧料、医薬部外品、医薬品等が挙げられる。その形態としては、ローション状、ジェル状、スプレー状等の剤型が挙げられる。
【実施例】
【００２３】
以下、実施例、比較例にて本発明を更に詳細に説明するが、本発明は実施例のみに限定されるものではない。
【００２４】
ビタミンＥ類配合の可溶化系の組成物Ａの製造
下記表１の処方にて、可溶化系の透明ローション（組成物Ａ）を常法により製造した。
［表１］
配合成分                                配合量（質量％）
----------------------------------------------------------------
ニコチン酸ＤＬ−α−トコフェロール                  ０．１
エチルアルコール                                    ８．０
Ｐ．Ｏ．Ｅ（６０）硬化ヒマシ油（ＨＬＢ＝１４）      ０．５
Ｐ．Ｏ．Ｅ（２０）ソルビタンラウレート              ０．３
（ＨＬＢ＝１６．９）
ジプロピレングリコール                              ３．０
グリセリン                                          ５．０
キサンタンガム                                      ５．０
酒石酸                                              適量
テトラヒドロキシベンゾフェノン                      ０．００４
メチルパラベン                                      ０．１
精製水                                              残量
【００２５】
ビタミンＥ類配合の水中油型乳化系の組成物Ｂの製造
下記表２の処方にて、水中油型の乳化系であるエマルジョン（組成物Ｂ）を常法により製造した。
［表２］
配合成分                                    配合量（質量％）
----------------------------------------------------------------
ニコチン酸ＤＬ−α−トコフェロール                      ０．２
酢酸ＤＬ−α−トコフェロール                            ０．２
ステアリン酸                                            ０．３
ベヘニルアルコール                                      ０．１
コレステロール                                          ０．５
ワセリン                                                １．０
スクワラン                                              ７．０
ジメチルポリシロキサン                                  １．０
親油型モノステアリン酸グリセリン（乳化剤）              １．２
Ｎ−ステアロイル−Ｌ−グルタミン酸ナトリウム（乳化剤）  ０．３
ジプロピリングリコール                                  ５．０
グリセリン                                              ５．０
無水ケイ酸                                              ０．４５
パラメトキシケイ皮酸２−エチルヘキシル                  ３．０
酸化チタン                                              ０．４５
メチルパラベン                                          ０．３
香料                                                    微量
精製水                                                  残量
【００２６】
上記各組成物を下記表３に示す樹脂材質からなるボトル容器に充填し、４０℃にて８週間保存した後の組成物中のビタミンＥ又はその誘導体の残存率を測定した。残存率の測定結果を表３に示す。
【００２７】
［表３］
実施例１    実施例２      実施例３      比較例１  実施例４
-----------------------------------------------------------------
組成物    組成物Ａ    組成物Ａ      組成物Ａ      組成物Ａ  組成物Ｂ
容器材質  ＰＥＴ単層  エバ−ル積層  ナイロン積層  ＰＥ単層  ＰＥ単層
残存率    ９７％      ９９％        １００％      ８７％    ９９％
------------------------------------------------------------------
ＰＥＴ単層：ポリエチレンテレフタレート単層
エバール（商品名）積層：エチレンビニルアルコール共重合体（内層）／高密度ポリエチレン（外層）
ナイロン積層：１２ナイロン（内層）／高密度ポリエチレン（外層）
ＰＥ単層：高密度ポリエチレン単層
【００２８】
３−メチル−４−イソプロピルフェノール配合の可溶化系の組成物Ｃの製造
下記表４の処方にて、可溶化系の透明ローション（組成物Ｃ）を常法により製造した。
［表４］
配合成分                                配合量（質量％）
---------------------------------------------------------------- 
エチルアルコール                                    １０．０
Ｐ．Ｏ．Ｅ（６０）硬化ヒマシ油（ＨＬＢ＝１４）        ０．３
Ｐ．Ｏ．Ｅ（２０）ソルビタンラウレート                ０．１
（ＨＬＢ＝１６．９）
３−メチル−４−イソプロピルフェノール                ０．０５
ＰＥＧ（分子量１０００）                              １．０
ジプロピレングリコール                                ４．０
メチルセルロース                                      ０．１
グリセリン                                            ３．０
クエン酸                                              ０．０１
クエン酸ナトリウム                                    ０．０９
メチルパラベン                                        ０．０５
精製水                                                残量
【００２９】
３−メチル−４−イソプロピルフェノール配合の水中油型乳化系の組成物Ｄの製造
下記表５の処方にて、水中油型の乳化系であるエマルジョン（組成物Ｄ）を常法により製造した。
［表５］
配合成分                                    配合量（質量％）
----------------------------------------------------------------
ステアリン酸                                            ０．３
ベヘニルアルコール                                      ０．１
コレステロール                                          ０．５
ワセリン                                                １．０
スクワラン                                              ７．０
ジメチルポリシロキサン                                  １．０
親油型モノステアリン酸グリセリン（乳化剤）              １．２
Ｎ−ステアロイル−Ｌ−グルタミン酸ナトリウム（乳化剤）  ０．３
ジプロピリングリコール                                  ５．０
グリセリン                                              ５．０
無水ケイ酸                                              ０．４５
パラメトキシケイ皮酸２−エチルヘキシル                  ３．０
酸化チタン                                              ０．４５
３−メチル−４−イソプロピルフェノール                  ０．０５
メチルパラベン                                          ０．３
香料                                                    微量
精製水                                                  残量
【００３０】
上記組成物Ｃ、Ｄを下記表５に示す樹脂材質からなるボトル容器に充填し、４０℃にて６ケ月保存した後の組成物中の３−メチル−４−イソプロピルフェノールの残存率を測定した。残存率の測定結果を表５に示す。
【００３１】
［表５］
実施例５    比較例２      実施例６
-------------------------------------------
組成物    組成物Ｃ    組成物Ｃ      組成物Ｄ
容器材質  ＰＥＴ単層  ＰＰ単層      ＰＰ単層
残存率    ９９％      ８７％        ９９％
-------------------------------------------
ＰＥＴ単層：ポリエチレンテレフタレート単層
ＰＰ単層：ポリプロピレン単層